(57)【要約】【課題】吐出弁の動作性能の低下を防止しつつ、隔壁の変形を抑制することが可能な圧縮機の提供にある。【解決手段】シリンダブロックと、シリンダブロックの端部に接合されるフロントハウジング及びリヤハウジングと、シリンダブロックとフロントハウジング及びリヤハウジングによって挟持される吐出弁とを備え、シリンダブロックの端部には、シリンダボアの一端を閉塞する隔壁が形成され、フロントハウジング及びリヤハウジングは、吐出室と吸入室と外周壁と内周壁を有した圧縮機において、外周壁は、内周壁へ向けて突出する一対の隔壁支持部を備え、隔壁支持部は隔壁の一部に接するとともに弁部の先端を挟んでいる。【選択図】  図３
2014080965.tif 000002
【特許請求の範囲】
【請求項１】
シリンダボアが形成されるシリンダブロックと、環状の外周壁及び該外周壁より内側にある環状の内周壁を備えるとともに前記シリンダブロックの端部に接合されるハウジングと、前記シリンダブロックと前記ハウジングによって挟持される吐出弁とを備え、
前記シリンダブロックの端部には、前記シリンダボアの一端を閉塞する隔壁が形成され、
前記隔壁は、前記シリンダボアの底部を備え、
前記底部には、前記シリンダボアと連通する吐出ポートが貫通形成され、
前記外周壁と前記内周壁の間には吐出室が形成され、前記内周壁の内側には吸入室が形成される圧縮機において、
前記外周壁は、前記底部の一部と当接する隔壁支持部を備え、
前記隔壁支持部は前記内周壁へ向けて突出されるとともに前記吐出弁を挟んで対をなす形状であることを特徴とする圧縮機。
【請求項２】
前記吐出弁は、前記シリンダブロックと前記ハウジングによって挟持される固定部と、前記吐出ポートを遮蔽可能な弁部からなり、前記内周壁は、前記隔壁とともに前記固定部を挟持する弁支持部を備え、前記弁支持部は、前記底部の一部と当接することを特徴とする請求項１に記載の圧縮機。
【請求項３】
前記内周壁と前記外周壁はリブによって連結され、
前記リブの高さは前記内周壁及び前記外周壁の高さより低く設定され、
前記リブは前記底部と対向することを特徴とする請求項１又は２に記載の圧縮機。
【請求項４】
前記リブは、対をなす前記隔壁支持部から内周に向かって延びており、前記内周壁と連結されていることを特徴とする請求項３に記載の圧縮機。
【発明の詳細な説明】
【技術分野】
【０００１】
この発明は、圧縮機に関し、特に、シリンダブロックとハウジングを備えた圧縮機に関する。
【背景技術】
【０００２】
例えば、特許文献１では、単頭ピストンを備えた往復動型圧縮機が開示されている。この圧縮機では、シリンダブロックに形成される６個のボアは、有底状をなして吐出ポートの開口される弁座部が上記シリンダブロックと一体成形されている。すなわち、各ボアのそれぞれが完全に分離独立した個室状に形成されている。
シリンダブロックの後端にはリヤハウジングが接合されている。リヤハウジングには、中央においてリヤ側端面に開口する吸入室が設けられており、該吸入室の外方域には吐出室が形成されている。そして、シリンダブロックと一体成形されたボアの弁座部には、各ボアと連通する吐出ポートが貫設され、各吐出ポートの吐出室側には吐出弁とともにリテーナが挟着されている。すなわち、シリンダブロックとリヤハウジングとは、間に吐出弁とリテーナとを介在させて挟着された状態にある。
【先行技術文献】
【特許文献】
【０００３】
【特許文献１】特開平８−１２１３３０号公報
【発明の概要】
【発明が解決しようとする課題】
【０００４】
ところで、ピストンがボア内の冷媒を圧縮してボア内が高圧となった場合には、弁座部（「隔壁」とする）が変形し、ボア内のエッジ部に応力が集中して隔壁が破損する可能性がある。特許文献１では、リヤハウジングにおける吐出室の外周側の外周壁を厚肉に形成し、厚肉に形成された外周壁は後方から隔壁を押圧する。このことから隔壁の変形が抑制される可能性が認められる。
しかし、リヤハウジングにおける外周壁を厚肉に形成することにより、吐出室の容積が小さくなり、冷媒の吐出時における騒音が問題となる程度まで増大する恐れがある。また、各吐出ポートの吐出室側に配置される吐出弁の長さが短くなり、吐出弁が変形しづらくなり、吐出弁の動作性能が低下する恐れがある。
【０００５】
本発明は上記の問題点に鑑みてなされたもので、本発明の目的は、吐出弁の動作性能の低下を防止しつつ、隔壁の変形を抑制することが可能な圧縮機の提供にある。
【課題を解決するための手段】
【０００６】
上記の課題を解決するために、請求項１記載の発明は、シリンダボアが形成されるシリンダブロックと、環状の外周壁及び該外周壁より内側にある環状の内周壁を備えるとともに前記シリンダブロックの端部に接合されるハウジングと、前記シリンダブロックと前記ハウジングによって挟持される吐出弁とを備え、前記シリンダブロックの端部には、前記シリンダボアの一端を閉塞する隔壁が形成され、前記隔壁は、前記シリンダボアの底部を備え、前記底部には、前記シリンダボアと連通する吐出ポートが貫通形成され、前記外周壁と前記内周壁の間には吐出室が形成され、前記内周壁の内側には吸入室が形成される圧縮機において、前記外周壁は、前記底部の一部と当接する隔壁支持部を備え、前記隔壁支持部は前記内周壁へ向けて突出されるとともに前記吐出弁を挟んで対をなす形状であることを特徴とする。
【０００７】
請求項１記載の発明によれば、外周壁は内周壁へ向けて突出する隔壁支持部を備えているので、圧縮時における底部の変形を抑制することが可能である。また、隔壁支持部は吐出弁を挟んで対を成しているので、隔壁支持部との干渉により吐出弁が短くなることはなく、吐出弁の動作性能の低下を防止することが可能である。
【０００８】
請求項２記載の発明は、請求項１に記載の圧縮機において、前記吐出弁は、前記シリンダブロックと前記ハウジングによって挟持される固定部と、前記吐出ポートを遮蔽可能な弁部からなり、前記内周壁は、前記隔壁とともに前記固定部を挟持する弁支持部を備え、前記弁支持部は、前記底部の一部と当接することを特徴とする。
【０００９】
請求項２記載の発明によれば、隔壁とともに固定部を挟持する弁支持部を備えているので、隔壁支持部に加えて弁支持部によっても隔壁に対するハウジングの当接面積が増加されて、圧縮時における底部の変形を一層抑制することが可能である。また、吐出弁の固定部を挟持する機能と、底部の変形を抑制する機能とを兼用させることが可能である。
【００１０】
請求項３記載の発明は、請求項１又は２に記載の圧縮機において、前記内周壁と前記外周壁はリブによって連結され、前記リブの高さは前記内周壁及び前記外周壁の高さより低く設定され、前記リブは前記底部と対向することを特徴とする。
【００１１】
請求項３記載の発明によれば、内周壁と外周壁はリブによって連結され、リブは底部と対向しているので、内周壁及び外周壁の剛性向上を図れ、圧縮時における底部の変形を一層抑制することが可能である。また、リブの高さは内周壁及び外周壁の高さより低く設定されているので、吐出弁とリブとが干渉することはない。
【００１２】
請求項４記載の発明は、請求項３に記載の圧縮機において、前記リブは、対をなす前記隔壁支持部から内周に向って延びており、前記内周壁と連結されていることを特徴とする。
【００１３】
請求項４記載の発明によれば、対をなす隔壁支持部と内周壁とはリブによって連結されているので、隔壁支持部及び内周壁の剛性向上を図れ、圧縮時における底部の変形をさらに一層抑制することが可能である。
【発明の効果】
【００１４】
本発明によれば、吐出弁の動作性能の低下を防止しつつ、隔壁の変形を抑制することが可能となる。
【図面の簡単な説明】
【００１５】
【図１】第１の実施形態に係る圧縮機の全体構成を示す縦断面図である。
【図２】図１におけるＡ−Ａ線断面図である。
【図３】図１におけるＢ−Ｂ線断面図である。
【図４】第１の実施形態に係る圧縮機の吐出弁の形状を示す平面図である。
【図５】第１の実施形態に係る圧縮機のフロントハウジングの後方向からの後面図である。
【図６】図５におけるＣ−Ｃ線断面図である。
【図７】図１におけるＤ−Ｄ線断面図である。
【図８】図１におけるＥ−Ｅ線断面図である。
【図９】第１の実施形態に係る圧縮機のリヤハウジングの前方向からの正面図である。
【図１０】第２の実施形態に係る圧縮機のリヤハウジングの前方向からの正面図である。
【図１１】図１０におけるＦ−Ｆ線断面図である。
【図１２】第３の実施形態に係る圧縮機のフロントハウジングの後方向からの後面図である。
【図１３】図１２におけるＧ−Ｇ線断面図である。
【図１４】第３の実施形態に係る圧縮機のリヤハウジングの前方向からの正面図である。
【発明を実施するための形態】
【００１６】
（第１の実施形態）
以下、第１の実施形態に係る圧縮機を図１〜図９に基づいて説明する。
図１に示す圧縮機１０は両頭ピストン型斜板式圧縮機である。本実施形態では、ハウジングは、互いに接合された一対のシリンダブロック１１、１２と、シリンダブロック１１に接合されるフロントハウジング１３と、シリンダブロック１２に接合されるリヤハウジング１４と、を有する。そして、フロントハウジング１３、シリンダブロック１１、１２、リヤハウジング１４は、通しボルト５６の締結により一体的に固定されている。
【００１７】
シリンダブロック１１には軸孔１１Ａが貫通形成されている。シリンダブロック１２には、軸孔１２Ａが貫通形成されている。軸孔１１Ａ、１２Ａには回転軸１５が挿通されるとともに、この回転軸１５は、軸孔１１Ａ、１２Ａの内周面に形成されたシール周面によって回転可能に支持されている。
フロント側における回転軸１５の突出端において、フロントハウジング１３の内周面と、この内周面と対向する回転軸１５の周面との間には、リップシール型の軸封装置１６が配設されている。軸封装置１６は、フロントハウジング１３の内周面と、回転軸１５の周面との間に区画された収容室１３Ａ内に収容されている。
【００１８】
また、回転軸１５には、回転軸１５と一体回転する斜板１７が固着されている。シリンダブロック１１、１２の内部には斜板室１８が形成されている。斜板１７は斜板室１８に収容されている。斜板１７には、円環状の基部１７Ａが形成されている。フロント側のシリンダブロック１１の端部と斜板１７の基部１７Ａとの間には、スラストベアリング１９が介在されている。リヤ側のシリンダブロック１２の端部と斜板１７の基部１７Ａとの間には、スラストベアリング２０が介在されている。スラストベアリング１９、２０は、斜板１７を挟んで斜板１７の回転軸１５の軸心Ｌ方向に沿った移動を規制するとともに、スラストベアリング１９、２０はそれぞれシリンダブロック１１、１２における軸孔１１Ａ、１２Ａの開口端面に押し付けられている。
【００１９】
図２に示すように、フロント側のシリンダブロック１１には３個のフロント側シリンダボア２１が回転軸１５を取り囲むように回転軸１５の周囲に配列されている。また、図７に示すように、リヤ側のシリンダブロック１２には、シリンダブロック１１と同様に３個のリヤ側シリンダボア２２が回転軸１５を取り囲むように回転軸１５の周囲に配列されている。フロント側シリンダボア２１とリヤ側シリンダボア２２は軸心Ｌの延びる軸方向（前後方向）で対をなすとともに、両シリンダボア２１、２２には、両頭ピストン２３が挿通されている。
シリンダブロック１１におけるフロント側の端部には、フロント側シリンダボア２１の一端を閉塞する隔壁１１Ｂがシリンダブロック１１と一体形成されている。なお、隔壁１１Ｂは、フロント側シリンダボア２１の底部１１Ｃを含んで形成されている。シリンダブロック１２におけるリヤ側の端部には、リヤ側シリンダボア２２の一端を閉塞する隔壁１２Ｂがシリンダブロック１２と一体形成されている。なお、隔壁１２Ｂはリヤ側シリンダボア２２の底部１２Ｃを含んで形成されている。
【００２０】
回転軸１５と一体回転する斜板１７の回転運動は、斜板１７を挟んで設けられた一対のシュー２４を介して両頭ピストン２３に伝えられ、両頭ピストン２３がフロント側シリンダボア２１及びリヤ側シリンダボア２２内を前後方向に往復動する。そして、フロント側シリンダボア２１内には、両頭ピストン２３と底部１１Ｃとによってフロント側圧縮室２５が区画される。リヤ側シリンダボア２２内には、両頭ピストン２３と底部１２Ｃとによってリヤ側圧縮室２６が区画される。
【００２１】
図２に示すように、シリンダブロック１１には、３つのシリンダ側吸入室２７が軸孔１１Ａを取り囲むように形成されている。シリンダ側吸入室２７は、軸孔１１Ａの周りで周方向に隣合うフロント側シリンダボア２１の狭間で１つずつ配置されており、軸孔１１Ａの外周側に等間隔に配置されている。
シリンダブロック１１には、３つのシリンダ側吐出室２９が軸孔１１Ａを取り囲むように形成されている。シリンダ側吐出室２９は、軸孔１１Ａの周りで周方向に隣合うフロント側シリンダボア２１の狭間で１つずつ配置されており、軸孔１１Ａの外周側に等間隔に配置されている。また、各シリンダ側吐出室２９は、シリンダブロック１１の径方向において、シリンダ側吸入室２７の外側に形成されている。
【００２２】
図１及び図３に示すように、シリンダブロック１１の底部１１Ｃには、各フロント側シリンダボア２１とフロント側吐出室２８とを連通する３つの吐出ポート３０が貫通形成されている。吐出ポート３０におけるフロント側吐出室２８側には、吐出ポート３０を覆うように吐出弁３１が設けられている。図４に示すように、吐出弁３１は、内周壁３４と隔壁１１Ｂによって挟持される固定部３１Ａと、固定部３１Ａから外周壁３３に向かって延び、吐出ポート３０を遮蔽可能な弁部３１Ｂから形成されている。また、ガスケット３２には、吐出弁３１の開度を規制するリテーナ３２Ａが一体形成されている。
【００２３】
図３及び図５に示すように、フロントハウジング１３は外周側に形成された外周壁３３と、外周壁３３の内側に形成された内周壁３４とを有している。外周壁３３と内周壁３４は環状に形成されている。外周壁３３と内周壁３４の間にはフロント側吐出室２８が形成され、内周壁３４の内側にはフロント側吸入室５５が形成されている。フロント側吸入室５５は、収容室１３Ａに連通するよう形成されている。
【００２４】
外周壁３３は、内側に形成されるフロント側吐出室２８と外部とを隔離する壁であり、径方向に所定の厚みを有している。
外周壁３３は、内周壁３４へ向けて突出する一対の隔壁支持部３３Ａを備えている。隔壁支持部３３Ａは底部１１Ｃの一部に接するとともに、弁部３１Ｂの先端を挟んで対を成すよう形成されている。図５に破線で示すように、外周壁３３の形状は、軽量化のため、径方向に所定の厚みを有し、通しボルト５６を挿通する部位を内側に突出させた形状とするのが従来の思想である。しかし、本実施形態における外周壁３３の形状は、底部１１Ｃの強度向上のため、隔壁支持部３３Ａが弁部３１Ｂの先端を挟んで対を成し弁部３１Ｂに対し両側を内周壁３４に向けて突出した形状となっている。
【００２５】
内周壁３４は、内周壁３４の外側に形成されるフロント側吐出室２８と、内周壁３４の内側に形成されるフロント側吸入室５５とを隔離する壁であり、径方向に所定の厚みを有している。
内周壁３４は、自身の一部として弁支持部３４Ａを備えている。弁支持部３４Ａは底部１１Ｃの一部を覆うように固定部３１Ａを挟持している。
【００２６】
図５及び図６に示すように、内周壁３４と外周壁３３はリブ３５によって連結され、リブ３５は底部１１Ｃと対向している。リブ３５は、内周壁３４における弁支持部３４Ａと、外周壁３３における一対の隔壁支持部３３Ａ間の部位とを連結し、径方向が長手方向となるように形成されている。
そして、リブ３５の軸心Ｌ方向の高さＴ２は内周壁３４及び外周壁３３の軸心Ｌ方向の高さＴ１より低く設定されている。つまり、シリンダブロック１１とフロントハウジング１３とが吐出弁３１とガスケット３２を介在して挟持した状態にあるとき、リブ３５は吐出弁３１及びガスケット３２と接触しないように形成されている。
【００２７】
図１及び図３に示すように、シリンダブロック１１とフロントハウジング１３とは、間に吐出弁３１及びガスケット３２を介在して接合されている。
吐出弁３１及びガスケット３２には、シリンダブロック１１に形成されたシリンダ側吐出室２９と、フロントハウジング１３に形成されたフロント側吐出室２８とを連通する貫通孔が形成されている。また、吐出弁３１及びガスケット３２には、シリンダブロック１１に形成されたシリンダ側吸入室２７と、フロントハウジング１３に形成されたフロント側吸入室５５とを連通する貫通孔が形成されている。
シリンダブロック１１とフロントハウジング１３とが、間に吐出弁３１及びガスケット３２を介在して接合されることにより、フロント側には、シリンダ側吸入室２７と連通され、外部と遮断されたフロント側吸入室５５及び、シリンダ側吐出室２９と連通され、外部と遮断されたフロント側吐出室２８が形成される。
【００２８】
次にリヤ側の構成について説明する。
図７に示すように、シリンダブロック１２には、３つのシリンダ側吸入室３６が軸孔１２Ａを取り囲むように形成されている。シリンダ側吸入室３６は、軸孔１２Ａの周りで周方向に隣合うリヤ側シリンダボア２２の狭間で１つずつ配置されており、軸孔１２Ａの外周側に等間隔に配置されている。
シリンダブロック１２には、３つのシリンダ側吐出室４５が軸孔１２Ａを取り囲むように形成されている。シリンダ側吐出室４５は、軸孔１２Ａの周りで周方向に隣合うリヤ側シリンダボア２２の狭間で１つずつ配置されており、軸孔１２Ａの外周側に等間隔に配置されている。また、各シリンダ側吐出室４５は、シリンダブロック１２の径方向において、シリンダ側吸入室３６の外側に形成されている。そして、シリンダ側吸入室２７とシリンダ側吸入室３６とは、軸心Ｌの延びる前後方向で１つずつが対をなすように配置されている。
【００２９】
図１及び図８に示すように、シリンダブロック１２の底部１２Ｃには、各リヤ側シリンダボア２２とリヤ側吐出室３８とを連通する３つの吐出ポート３９が貫通形成されている。吐出ポート３９におけるリヤ側吐出室３８側には、吐出ポート３９を覆うように吐出弁４０が設けられている。吐出弁４０は、内周壁４３と隔壁１２Ｂによって挟持される固定部４０Ａと、固定部４０Ａから外周壁４２に向かって延び、吐出ポート３９を遮蔽可能な弁部４０Ｂから形成されている。吐出弁４０は、吐出弁３１と同等の形状を有している。
また、ガスケット４１には、吐出弁４０の開度を規制するリテーナ４１Ａが一体形成されている。
【００３０】
図８及び図９に示すように、リヤハウジング１４は外周側に形成された外周壁４２と、外周壁４２の内側に形成された内周壁４３とを有している。外周壁４２と内周壁４３は環状に形成されている。外周壁４２と内周壁４３の間にはリヤ側吐出室３８が形成され、内周壁４３の内側にはリヤ側吸入室５７が形成されている。リヤ側吸入室５７は、内周側の吸入室３７に連通するよう形成されている。
【００３１】
外周壁４２は、内側に形成されるリヤ側吐出室３８と外部とを隔離する壁であり、径方向に所定の厚みを有している。
外周壁４２は、フロント側と同様に、内周壁４３へ向けて突出する一対の隔壁支持部４２Ａを備えている。隔壁支持部４２Ａは底部１２Ｃの一部に接するとともに、弁部４０Ｂの先端を挟んで対を成すよう形成されている。すなわち、隔壁支持部４２Ａは、底部１２Ｃに対向する位置に形成され、弁部４０Ｂに対し両側より弁部４０Ｂの先端を挟んで対を成すよう内周側に突出している。
【００３２】
内周壁４３は、内周壁４３の外側に形成されるリヤ側吐出室３８と、内周壁４３の内側に形成されるリヤ側吸入室５７とを隔離する壁であり、径方向に所定の厚みを有している。
内周壁４３は、自身の一部として弁支持部４３Ａを備えている。弁支持部４３Ａは底部１２Ｃの一部を覆うように固定部４０Ａを挟持している。すなわち、弁支持部４３Ａは、吐出弁４０の固定部４０Ａに当接し、固定部４０Ａを底部１２Ｃの一部に押し付けている。
【００３３】
図９に示すように、内周壁４３と外周壁４２はリブ４４によって連結され、リブ４４は底部１２Ｃと対向している。リブ４４は、内周壁４３における弁支持部４３Ａと、外周壁４２における一対の隔壁支持部４２Ａ間の部位とを連結し、径方向が長手方向となるように形成されている。
そして、リブ４４の軸心Ｌ方向の高さは内周壁４３及び外周壁４２の軸心Ｌ方向の高さより低く設定されている。つまり、シリンダブロック１２とリヤハウジング１４とが吐出弁４０とガスケット４１を介在して挟持した状態にあるとき、リブ４４は吐出弁４０及びガスケット４１と接触しないように形成されている。
【００３４】
図１及び図８に示すように、シリンダブロック１２とリヤハウジング１４とは、間に吐出弁４０及びガスケット４１を介在して接合されている。
吐出弁４０及びガスケット４１には、シリンダブロック１２に形成されたシリンダ側吐出室４５と、リヤハウジング１４に形成されたリヤ側吐出室３８とを連通する貫通孔が形成されている。また、吐出弁４０及びガスケット４１には、シリンダブロック１２に形成されたシリンダ側吸入室３６と、リヤハウジング１４に形成されたリヤ側吸入室５７とを連通する貫通孔が形成されている。
シリンダブロック１２とリヤハウジング１４とが、間に吐出弁４０及びガスケット４１を介在して接合されることにより、リヤ側には、シリンダ側吸入室３６と連通され、外部と遮断されたリヤ側吸入室５７、３７及び、シリンダ側吐出室４５と連通され、外部と遮断されたリヤ側吐出室３８が形成される。
【００３５】
図１に示すように、シリンダブロック１１、１２には、吸入通路４６が形成されるとともに、吸入通路４６は、フロント側の開口が３つのシリンダ側吸入室２７のうちの１つに連通し、リヤ側の開口が３つのシリンダ側吸入室３６のうち１つに連通している。さらに、フロント側のシリンダブロック１１には、吸入口４７が形成されている。吸入口４７は、一端がシリンダブロック１１の外周面に開口するとともに、他端が吸入通路４６の内周面に開口している。吸入口４７には、外部冷媒回路の配管が接続されている。
【００３６】
また、シリンダブロック１１、１２には、吐出通路４８（図２に表示）が形成されるとともに、吐出通路４８は、フロント側の開口が３つのシリンダ側吐出室２９のうちの１つに連通し、リヤ側の開口が３つのシリンダ側吐出室４５のうち１つに連通している。さらに、シリンダブロック１１には、図示しないが、吐出口が形成されている。吐出口は、一端がシリンダブロック１１の外周面に開口するとともに、他端が吐出通路４８の内周面に開口している。吐出口には、外部冷媒回路の配管が接続されている。
図２に示すように、吐出通路４８は、シリンダブロックにおいて、吸入通路４６が形成された位置から周方向へずれた位置に形成されている。
【００３７】
次にフロント側の吸入構造について説明する。
図２に示すように、シリンダブロック１１には、各シリンダ側吸入室２７と軸孔１１Ａとを連通させる吸入室用連通路５０がそれぞれ形成されている。
シリンダブロック１１には、軸孔１１Ａと各フロント側シリンダボア２１とを連通させるボア用連通路５１がそれぞれ形成されている。吸入室用連通路５０とボア用連通路５１とは、軸孔１１Ａの周方向に交互に配置されている。
【００３８】
図１及び図２に示すように、回転軸１５のフロント側の周面には、導入溝５２が形成されている。導入溝５２は、軸孔１１Ａのシール周面に向けて開口しており、吸入室用連通路５０及びボア用連通路５１に対して個別に連通可能となっている。回転軸１５の回転に伴って導入溝５２の位置が変更されることにより、導入溝５２が連通する吸入室用連通路５０及びボア用連通路５１が機械的に切り換えられるようになっている。このように、シール周面によって包囲された回転軸１５の部分は、回転軸１５に一体形成されたフロント側ロータリバルブを形成している。
【００３９】
次に、リヤ側の吸入構造について説明する。
図１及び図７に示すように、シリンダブロック１２には、各リヤ側シリンダボア２２と軸孔１２Ａとを連通させるリヤ側導入通路５３がそれぞれ形成されている。また、回転軸１５のリヤ側の周面には、供給溝５４が形成されている。供給溝５４の一端は、リヤハウジング１４内の吸入室３７に開口し、供給溝５４の他端は、リヤ側導入通路５３と連通可能になっている。回転軸１５の回転に伴って供給溝５４の位置が変更されることにより、供給溝５４が連通するリヤ側導入通路５３が機械的に切り換えられるようになっている。このように、シール周面によって包囲された回転軸１５の部分は、回転軸１５に一体形成されたリヤ側ロータリバルブを形成している。
【００４０】
次に、圧縮機１０の作用説明を行う。
吸入口４７を通じて吸入通路４６に冷媒が吸入され、各シリンダ側吸入室２７及びシリンダ側吸入室３６に冷媒が供給される。そして、フロント側シリンダボア２１が吸入工程に移行すると、図２に示すように、フロント側ロータリバルブの導入溝５２を介して、１つの吸入室用連通路５０とその隣に配置されたボア用連通路５１とが連通する。すると、シリンダ側吸入室２７からフロント側ロータリバルブを経由してフロント側シリンダボア２１に冷媒が吸入される。
【００４１】
回転軸１５の回転に伴い、導入溝５２を介した吸入室用連通路５０とボア用連通路５１との連通が解除されると、フロント側シリンダボア２１が遮断されてフロント側シリンダボア２１は圧縮工程及び吐出工程に移行する。すなわち、フロント側圧縮室２５内に吸入された冷媒は、両頭ピストン２３の前方向への移動に伴い高圧に圧縮された後、吐出ポート３０から吐出弁３１を押し退けてフロント側吐出室２８へ吐出される。
このとき、吐出ポート３０から吐出される冷媒の圧力により、吐出弁３１の弁部３１Ｂは、ガスケット３２のリテーナ３２Ａと当接する位置まで移動し、吐出弁３１は開弁状態となる。
【００４２】
また、圧縮工程にあるとき、フロント側圧縮室２５内の冷媒は高圧状態となり、底部１１Ｃには前方向へ押し付ける内圧による外力が作用し、底部１１Ｃは変形する。底部１１Ｃが変形すると、底部１１Ｃとフロント側シリンダボア２１との接続点であるエッジ部Ｒに応力が集中する。
ところで、フロントハウジング１３は、フロント側吐出室２８とフロント側吸入室５５を区画する外周壁３３及び内周壁３４を有し、外周壁３３の端面と内周壁３４の端面とは、吐出弁３１及びガスケット３２を介してシリンダブロック１１の隔壁１１Ｂに押圧された状態にある。
【００４３】
ここで、外周壁３３からは隔壁支持部３３Ａが突出され、隔壁支持部３３Ａは底部１１Ｃの一部に接しているので、底部１１Ｃに対するフロントハウジング１３の当接面積が従来と比較して増加されて、圧縮時における底部１１Ｃの変形が抑制される。また、隔壁支持部３３Ａは弁部３１Ｂの先端を挟んで対を成すよう形成されているので、吐出弁３１と隔壁支持部３３Ａとの干渉を防止しつつ、吐出弁３１の径方向における長さ（固定部３１Ａから弁部３１Ｂに至る長さ）は所定長さに維持される。
【００４４】
さらに、内周壁３４の一部である弁支持部３４Ａは底部１１Ｃの一部を覆うように固定部３１Ａを挟持しているので、底部１１Ｃに対するフロントハウジング１３の当接面積が従来と比較して増加されて、圧縮時における底部１１Ｃの変形が一層抑制される。また、吐出弁３１の固定部３１Ａを挟持する機能と、底部１１Ｃの変形を抑制する機能とが兼用されている。
【００４５】
内周壁３４と外周壁３３はリブ３５によって連結され、リブ３５は底部１１Ｃと対向しているので、内周壁３４及び外周壁３３の強度向上及びフロントハウジング１３全体の剛性向上を図れ、圧縮時における底部１１Ｃの変形は一層抑制される。また、リブ３５の軸心Ｌ方向の高さＴ２は内周壁３４及び外周壁３３の軸心Ｌ方向の高さＴ１より低く設定されているので、リブ３５と吐出弁３１及びガスケット３２とが干渉することはなく、吐出弁３１の動作性能に影響を及ぼさない。
【００４６】
ところで、隔壁支持部３３Ａ及び弁支持部３４Ａを形成することにより、フロント側吐出室２８の容積が小さくなるが、外周壁３３や内周壁３４を全周にわたって肉厚化するのに比べ、フロント側吐出室２８は充分な容積が確保される。よって、冷媒の吐出時における騒音発生を防止することが可能である。
フロント側吐出室２８へ吐出された冷媒は、シリンダ側吐出室２９から吐出通路４８及び吐出口を通って外部冷媒回路へ流出する。
【００４７】
一方、リヤ側においては、吸入室３７に冷媒が吸入された状態において、リヤ側シリンダボア２２が吸入工程に移行すると、リヤ側ロータリバルブにおける吸入室３７と連通した供給溝５４が、リヤ側導入通路５３と連通する。すると、リヤ側導入通路５３には、吸入室３７からリヤ側ロータリバルブを経由して冷媒が供給され、リヤ側導入通路５３に連通するリヤ側シリンダボア２２に冷媒が吸入される。
【００４８】
回転軸１５の回転に伴い、供給溝５４とリヤ側導入通路５３との連通が解除されると、リヤ側シリンダボア２２が遮断されて、リヤ側シリンダボア２２は圧縮工程及び吐出工程に移行する。すなわち、リヤ側圧縮室２６内に吸入された冷媒は、両頭ピストン２３の後方向への移動に伴い高圧に圧縮された後、吐出ポート３９から吐出弁４０を押し退けてリヤ側吐出室３８へ吐出される。
このとき、吐出ポート３９から吐出される冷媒の圧力により、吐出弁４０の弁部４０Ｂは、ガスケット４１のリテーナ４１Ａと当接する位置まで移動し、吐出弁４０は開弁状態となる。
【００４９】
また、圧縮工程にあるとき、リヤ側圧縮室２６内の冷媒は高圧状態となり、底部１２Ｃには後方向へ押し付ける外力が作用し、底部１２Ｃは変形する。底部１２Ｃが変形すると、底部１２Ｃとリヤ側シリンダボア２２との接続点であるエッジ部Ｒに応力が集中する。
ところで、リヤハウジング１４は、フロント側と同様に、リヤ側吐出室３８とリヤ側吸入室５７を区画する外周壁４２及び内周壁４３を有し、外周壁４２の端面と内周壁４３の端面とは、吐出弁４０及びガスケット４１を介してシリンダブロック１２の隔壁１２Ｂに押圧された状態にある。
【００５０】
なお、外周壁４２からは隔壁支持部４２Ａが突出され、内周壁４３は弁支持部４３Ａを有し、内周壁４３と外周壁４２はリブ４４によって連結されているが、この構成はフロント側と同様であり、もたらされる作用効果もフロント側と同様なので説明を省略する。
フロント側における外周壁３３、内周壁３４、隔壁支持部３３Ａ、弁支持部３４Ａ、リブ３５、フロント側吸入室５５及びフロント側吐出室２８は、リヤ側における外周壁４２、内周壁４３、隔壁支持部４２Ａ、弁支持部４３Ａ、リブ４４、リヤ側吸入室５７及びリヤ側吐出室３８にそれぞれ対応している。
リヤ側吐出室３８へ吐出された冷媒は、シリンダ側吐出室４５から吐出通路４８及び吐出口を通って外部冷媒回路へ流出する。
【００５１】
第１の実施形態に係る圧縮機１０によれば以下の効果を奏する。
（１）フロントハウジング１３における外周壁３３からは隔壁支持部３３Ａが突出され、隔壁支持部３３Ａは底部１１Ｃの一部に接しているので、底部１１Ｃに対するフロントハウジング１３の当接面積が増加されて、圧縮時における底部１１Ｃの変形を抑制することが可能である。また、隔壁支持部３３Ａは弁部３１Ｂの先端を挟んで対を成すよう形成されているので、吐出弁３１と隔壁支持部３３Ａとの干渉を防止しつつ、吐出弁３１の長さ（固定部３１Ａから弁部３１Ｂに至る長さ）を所定長さに維持することができ、吐出弁３１の動作性能の低下を防止することが可能である。
（２）フロントハウジング１３における内周壁３４の一部は弁支持部３４Ａとなっており、弁支持部３４Ａは底部１１Ｃの一部を覆うように固定部３１Ａを挟持しているので、底部１１Ｃに対するフロントハウジング１３の当接面積が増加されて、圧縮時における底部１１Ｃの変形を一層抑制することが可能である。また、吐出弁３１の固定部３１Ａを挟持する機能と、底部１１Ｃの変形を抑制する機能とを兼用させることが可能であり、装置の簡略化を図れる。
（３）フロントハウジング１３における内周壁３４と外周壁３３はリブ３５によって連結され、リブ３５は底部１１Ｃと対向しているので、内周壁３４及び外周壁３３の剛性向上を図れ、圧縮時における底部１１Ｃの変形を一層抑制することが可能である。また、リブ３５の軸心Ｌ方向の高さＴ２は内周壁３４及び外周壁３３の軸心Ｌ方向の高さＴ１より低く設定されているので、リブ３５と吐出弁３１及びガスケット３２とが干渉することはなく、吐出弁３１の動作性能に影響を及ぼさない。
（４）フロントハウジング１３における隔壁支持部３３Ａ及び弁支持部３４Ａを形成することにより、フロント側吐出室２８の容積が小さくなるが、外周壁３３や内周壁３４を全周にわたって肉厚化するのに比べ、充分な容積を確保することが可能である。よって、冷媒の吐出時における騒音発生を防止することが可能である。
（５）リヤハウジング１４における外周壁４２からは隔壁支持部４２Ａが突出され、隔壁支持部４２Ａは底部１２Ｃの一部に接しているので、底部１２Ｃに対するリヤハウジング１４の当接面積が増加されて、圧縮時における底部１２Ｃの変形を抑制することが可能である。また、隔壁支持部４２Ａは弁部４０Ｂの先端を挟んで対を成すよう形成されているので、吐出弁４０と隔壁支持部４２Ａとの干渉を防止しつつ、吐出弁４０の長さ（固定部４０Ａから弁部４０Ｂに至る長さ）を所定長さに維持することができ、吐出弁４０の動作性能の低下を防止することが可能である。
（６）リヤハウジング１４における内周壁４３は弁支持部４３Ａを有し、弁支持部４３Ａは底部１２Ｃの一部を覆うように固定部４０Ａを挟持しているので、底部１２Ｃに対するリヤハウジング１４の当接面積が増加されて、圧縮時における底部１２Ｃの変形を一層抑制することが可能である。また、吐出弁４０の固定部４０Ａを挟持する機能と、底部１２Ｃの変形を抑制する機能とを兼用させることが可能であり、装置の簡略化を図れる。
（７）リヤハウジング１４における内周壁４３と外周壁４２はリブ４４によって連結され、リブ４４は底部１２Ｃと対向しているので、リブ４４を設けることにより、内周壁４３及び外周壁４２の剛性向上を図れ、圧縮時における底部１２Ｃの変形を一層抑制することが可能である。また、リブ４４の軸心Ｌ方向の高さは内周壁４３及び外周壁４２の軸心Ｌ方向の高さより低く設定されているので、リブ４４と吐出弁４０及びガスケット４１とが干渉することはなく、吐出弁４０の動作性能に影響を及ぼさない。
（８）リヤハウジング１４における隔壁支持部４２Ａ及び弁支持部４３Ａを形成することにより、リヤ側吐出室３８の容積が小さくなるが、外周壁４２や内周壁４３を全周にわたって肉厚化するのに比べ、充分な容積を確保することが可能である。よって、冷媒の吐出時における騒音発生を防止することが可能である。
【００５２】
（第２の実施形態）
次に、第２の実施形態に係る圧縮機を図１０及び図１１に基づいて説明する。
この実施形態は、第１の実施形態におけるリヤハウジング１４の形状を変更したものであり、その他の構成は共通である。
従って、ここでは説明の便宜上、先の説明で用いた符号を一部共通して用い、共通する構成についてはその説明を省略し、変更した個所のみ説明を行う。
【００５３】
図１０及び図１１に示すように、本実施形態のリヤハウジング６１においては、外周壁４２と内周壁４３とを連結するリブ４４の両側に円柱状の突起部６２が設けられている。突起部６２は底部１２Ｃと対向する位置に設けられ、リブ４４、隔壁支持部４２Ａ及び弁支持部４３Ａと干渉しない位置に設けられている。
各突起部６２の軸心Ｌ方向の高さは内周壁３４及び外周壁３３の軸心Ｌ方向の高さと同等に形成されている。各突起部６２は、底部１２Ｃの一部に接するよう設けられている。また、各突起部６２は、吐出弁４０及びガスケット４１とは干渉しない位置に設けられている。図１０では、突起部６２を６箇所に設けている。
【００５４】
突起部６２を設けることにより、底部１２Ｃに対するリヤハウジング６１の当接面積がさらに増加されて、圧縮時における底部１２Ｃの変形を一層抑制することが可能である。また、突起部６２は吐出弁４０とは干渉しない位置に設けられているので、吐出弁４０の動作性能に影響を与えることはない。
その他の作用効果については、第１の実施形態における（１）〜（８）と同様であり説明を省略する。
【００５５】
（第３の実施形態）
次に、第３の実施形態に係る圧縮機を図１２〜図１４に基づいて説明する。
本実施形態は、第１の実施形態におけるフロントハウジング１３及びリヤハウジング１４の形状を変更したものであり、フロントハウジング１３及びリヤハウジング１４を除くその他の構成は第１の実施形態と共通である。
従って、ここでは説明の便宜上、第１の実施形態の説明で用いた符号を一部共通して用い、共通する構成についてはその説明を省略し、変更した個所のみ説明を行う。
【００５６】
図１２に示すように、本実施形態のフロントハウジング７１においては、外周壁３３における一対の隔壁支持部３３Ａと内周壁３４における弁支持部３４Ａとは、一対のリブ７２によって連結され、リブ７２は底部１１Ｃと対向している。このとき、一対の隔壁支持部３３Ａはボルト挿通孔７５に対して弁支持部３４Ａ側に突出して形成されており、リブ７２の延長線上にボルト挿通孔７５がそれぞれ位置している。一対のリブ７２は、一対の隔壁支持部３３Ａから内周に向ってそれぞれ延びるよう形成され、弁支持部３４Ａとそれぞれ連結されている。一対のリブ７２における弁支持部３４Ａ側の端部が互いに接近している。
そして、図１３に示すように、リブ７２の軸心Ｌ方向の高さＴ２は内周壁３４及び外周壁３３の軸心Ｌ方向の高さＴ１より低く設定されている。つまり、シリンダブロック１１とフロントハウジング７１とが吐出弁３１とガスケット３２を介在して挟持した状態にあるとき、リブ７２は吐出弁３１及びガスケット３２と接触しないように形成されている。図１２では、一対のリブ７２を３箇所（計６個）に設けている。
【００５７】
図１４に示すように、本実施形態のリヤハウジング７３においては、外周壁４２における一対の隔壁支持部４２Ａと内周壁４３における弁支持部４３Ａとは、一対のリブ７４によって連結され、リブ７４は底部１２Ｃと対向している。このとき、一対の隔壁支持部４２Ａはボルト挿通孔７６に対して弁支持部４３Ａ側に突出して形成されており、リブ７４の延長線上にボルト挿通孔７６がそれぞれ位置している。一対のリブ７４は、一対の隔壁支持部４２Ａから内周に向ってそれぞれ延びるよう形成され、弁支持部４３Ａとそれぞれ連結されている。一対のリブ７４における弁支持部４３Ａ側の端部が互いに接近している。
そして、図示しないが、リブ７４の軸心Ｌ方向の高さは内周壁４３及び外周壁４２の軸心Ｌ方向の高さより低く設定されている。つまり、シリンダブロック１２とリヤハウジング７３とが吐出弁４０とガスケット４１を介在して挟持した状態にあるとき、リブ７４は吐出弁４０及びガスケット４１と接触しないように形成されている。図１４では、一対のリブ７４を３箇所（計６個）に設けている。
【００５８】
フロントハウジング７１における一対の隔壁支持部３３Ａと弁支持部３４Ａとは一対のリブ７２によって連結されているので、隔壁支持部３３Ａ及び弁支持部３４Ａの剛性向上を図れ、圧縮時における底部１１Ｃの変形をさらに一層抑制することが可能である。また、リブ７２の延長線上にボルト挿通孔７５がそれぞれ位置していることにより、弁支持部３４Ａの剛性向上をより図ることが可能である。さらに、リブ７２の軸心Ｌ方向の高さＴ２は内周壁３４及び外周壁３３の軸心Ｌ方向の高さＴ１より低く設定されているので、リブ７２と吐出弁３１及びガスケット３２とが干渉することはなく、吐出弁３１の動作性能に影響を及ぼさない。
【００５９】
リヤハウジング７３における一対の隔壁支持部４２Ａと弁支持部４３Ａとは一対のリブ７４によって連結されているので、隔壁支持部４２Ａ及び弁支持部４３Ａの剛性向上を図れ、圧縮時における底部１２Ｃの変形をさらに一層抑制することが可能である。また、リブ７４の延長線上にボルト挿通孔７６がそれぞれ位置していることにより、弁支持部４３Ａの剛性向上をより図ることが可能である。さらに、リブ７４の軸心Ｌ方向の高さは内周壁４３及び外周壁４２の軸心Ｌ方向の高さより低く設定されているので、リブ７４と吐出弁４０及びガスケット４１とが干渉することはなく、吐出弁４０の動作性能に影響を及ぼさない。
その他の作用効果については、第１の実施形態における（１）、（２）、（４）〜（６）、（８）と同様であり説明を省略する。
【００６０】
なお、本発明は、上記した実施形態に限定されるものではなく発明の趣旨の範囲内で種々の変更が可能であり、例えば、次のように変更しても良い。
○  第１〜第３の実施形態においては、フロントハウジング及びリヤハウジングにおける外周壁からは隔壁支持部が突出され、内周壁の一部として弁支持部が形成されており、基本構造は同一であるとして説明したが、少なくともリヤハウジングのみが上記構成を有していても良い。
○  第１〜第３の実施形態では、両頭ピストン型斜板式圧縮機に適用するとして説明したが、片側ピストン型の可変容量型斜板式圧縮機に適用しても良い。また、ロータリバルブに代えて、シリンダブロックの隔壁に形成した吐出ポート及び吸入ポートと、リード型吐出弁及びリード型吸入弁により吐出及び吸入機構を構成しても良い。
○  第１〜第３の実施形態では、片側３気筒で両側６気筒の圧縮機として説明したが、片側５気筒で両側１０気筒の圧縮機に適用しても良い。
○  第１〜第３の実施形態では、シリンダブロック１１（シリンダブロック１２）とフロントハウジング（リヤハウジング）が、ガスケット３２（ガスケット４１）を挟持しているが、気密が充分確保できるなら、ガスケット３２（ガスケット４１）を介さなくてもよい。つまり、ガスケットは、本発明特有の効果に貢献する部材ではなく、請求項においてもガスケットは構成部材として記載されていない。
【符号の説明】
【００６１】
１０  圧縮機
１１、１２  シリンダブロック
１１Ｂ、１２Ｂ  隔壁
１１Ｃ、１２Ｃ  底部
１３、７１  フロントハウジング
１４、６１、７３  リヤハウジング
２１  フロント側シリンダボア
２２  リヤ側シリンダボア
２３  両頭ピストン
２７、３６  シリンダ側吸入室
２８  フロント側吐出室
３０、３９  吐出ポート
３１、４０  吐出弁
３１Ａ、４０Ａ  固定部
３１Ｂ、４０Ｂ  弁部
３３、４２  外周壁
３３Ａ、４２Ａ  隔壁支持部
３４、４３  内周壁
３４Ａ、４３Ａ  弁支持部
３５、４４、７２、７４  リブ
３８  リヤ側吐出室
５５  フロント側吸入室
５７、３７  リヤ側吸入室
Ｔ１  外周壁及び内周壁の高さ
Ｔ２  リブの高さ
Ｌ  軸心
【図１】
2014080965.tif 000003
【図２】
2014080965.tif 000004
【図３】
2014080965.tif 000005
【図４】
2014080965.tif 000006
【図５】
2014080965.tif 000007
【図６】
2014080965.tif 000008
【図７】
2014080965.tif 000009
【図８】
2014080965.tif 000010
【図９】
2014080965.tif 000011
【図１０】
2014080965.tif 000012
【図１１】
2014080965.tif 000013
【図１２】
2014080965.tif 000014
【図１３】
2014080965.tif 000015
【図１４】
2014080965.tif 000016